【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
ユーザ視聴体験を向上させるための方法であって、
ユーザが以前に第１のメディアアセットを消費したことを示すユーザプロファイルを読み出すステップと、
前記ユーザが第２のメディアアセットを消費しようとしていることを検出するステップと、
前記第２のメディアアセットと前記第１のメディアアセットを比較し、前記第２のメディアアセットの部分が前記第１のメディアアセットからのコンテンツに合致するかどうかを判定するステップと、
前記第２のメディアアセットの部分が前記第１のメディアアセットからのコンテンツに合致することの判定に応答して、前記第２のメディアアセットを編集し、前記部分を除去するステップと、
表示のために、前記編集された第２のメディアアセットを生成するステップと
を含む、方法。
【請求項２】
前記第２のメディアアセットと前記第１のメディアアセットを比較し、前記第２のメディアアセットの部分が前記第１のメディアアセットからのコンテンツに合致するかどうかを判定するステップは、
前記部分に対応するメタデータを読み出すステップと、
前記部分のメタデータと前記第１のメディアアセットのメタデータを一覧にしたデータベースを相互参照し、前記部分が前記第１のメディアアセットからのコンテンツに合致するかどうかを判定するステップと
を含む、請求項１に記載の方法。
【請求項３】
前記部分の知覚される再生速度を増加させることによって、編集された部分を生成するステップと、
前記第２のメディアアセットを編集し、前記部分と前記編集された部分を置換するステップと
をさらに含む、請求項１に記載の方法。
【請求項４】
前記ユーザに前記第２のメディアアセットから除去されたその部分を視聴するオプションを提示するステップをさらに含む、請求項１に記載の方法。
【請求項５】
ユーザ視聴体験を向上させるためのシステムであって、
ユーザプロファイルを記憶するように構成される、記憶回路と、
制御回路であって、
ユーザが以前に第１のメディアアセットを消費したことを示すユーザプロファイルを読み出すことと、
前記ユーザが第２のメディアアセットを消費しようとしていることを検出することと、
前記第２のメディアアセットと前記第１のメディアアセットを比較し、前記第２のメディアアセットの部分が前記第１のメディアアセットからのコンテンツに合致するかどうかを判定することと、
前記第２のメディアアセットの部分が前記第１のメディアアセットからのコンテンツに合致することの判定に応答して、前記第２のメディアアセットを編集し、前記部分を除去することと、
表示のために、前記編集された第２のメディアアセットを生成することと
を行うように構成される、制御回路と
を備える、システム。
【請求項６】
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分に対応するメタデータを読み出すことと、
前記部分のメタデータと前記第１のメディアアセットのメタデータを一覧にしたデータベースを相互参照し、前記部分が前記第１のメディアアセットからのコンテンツに合致するかどうかを判定することと
を行うように構成される、請求項５に記載のシステム。
【請求項７】
前記制御回路はさらに、
前記部分の知覚される再生速度を増加させることによって、編集された部分を生成することと、
前記第２のメディアアセットを編集し、前記部分と前記編集された部分を置換することと
を行うように構成される、請求項５に記載のシステム。
【請求項８】
前記制御回路はさらに、前記ユーザに前記第２のメディアアセットから除去されたその部分を視聴するオプションを提示するように構成される、請求項５に記載のシステム。
【請求項９】
ユーザ視聴体験を向上させるためのその上に記録された命令を備える、非一過性コンピュータ可読媒体であって、前記命令は、
ユーザが以前に第１のメディアアセットを消費したことを示すユーザプロファイルを読み出すための命令と、
前記ユーザが第２のメディアアセットを消費しようとしていることを検出するための命令と、
前記第２のメディアアセットと前記第１のメディアアセットを比較し、前記第２のメディアアセットの部分が前記第１のメディアアセットからのコンテンツに合致するかどうかを判定するための命令と、
前記第２のメディアアセットの部分が前記第１のメディアアセットからのコンテンツに合致することの判定に応答して、前記第２のメディアアセットを編集し、前記部分を除去するための命令と、
表示のために、前記編集された第２のメディアアセットを生成するための命令と
を備える、非一過性コンピュータ可読媒体。
【請求項１０】
前記部分の知覚される再生速度を増加させることによって、編集された部分を生成するための命令と、
前記第２のメディアアセットを編集し、前記部分と前記編集された部分を置換するための命令と
をさらに備える、請求項９に記載の非一過性コンピュータ可読媒体。
【手続補正２】
【補正対象書類名】明細書
【補正対象項目名】００１６
【補正方法】変更
【補正の内容】
【００１６】
前述のシステムおよび／または方法は、他のシステム、方法、および／または装置に適用され、もしくはそれらに従って使用され得ることに留意されたい。
本願明細書は、例えば、以下の項目も提供する。
（項目１）
ユーザ視聴体験を向上させるための方法であって、
ユーザが以前に第１のメディアアセットを消費したことを示すユーザプロファイルを読み出すステップと、
前記ユーザが第２のメディアアセットを消費しようとしていることを検出するステップと、
前記第２のメディアアセットと前記第１のメディアアセットを比較し、前記第２のメディアアセットの部分が前記第１のメディアアセットからのコンテンツに合致するかどうかを判定するステップと、
前記第２のメディアアセットの部分が前記第１のメディアアセットからのコンテンツに合致することの判定に応答して、前記第２のメディアアセットを編集し、前記部分を除去するステップと、
表示のために、前記編集された第２のメディアアセットを生成するステップと、
を含む、方法。
（項目２）
前記部分は、前記第２のメディアアセットのフレームである、項目１に記載の方法。
（項目３）
前記第２のメディアアセットと前記第１のメディアアセットを比較し、前記第２のメディアアセットの部分が前記第１のメディアアセットからのコンテンツに合致するかどうかを判定するステップは、
前記部分に対応する前記第２のメディアアセットのフレームを判定するステップと、
前記フレームと前記第１のメディアアセット内の複数のフレームを一覧にしたデータベースを相互参照し、前記フレームが前記複数のフレームのうちの１つに合致するかどうかを判定するステップと、
を含む、項目１に記載の方法。
（項目４）
前記第２のメディアアセットの再生の間、前記部分の前に前記メディアアセットの第２の部分が先行する、項目１に記載の方法。
（項目５）
前記第２のメディアアセットと前記第１のメディアアセットを比較し、前記第２のメディアアセットの部分が前記第１のメディアアセットからのコンテンツに合致するかどうかを判定するステップは、
前記部分に対応するメタデータを読み出すステップと、
前記部分のメタデータと前記第１のメディアアセットのメタデータを一覧にしたデータベースを相互参照し、前記部分が前記第１のメディアアセットからのコンテンツに合致するかどうかを判定するステップと、
を含む、項目１に記載の方法。
（項目６）
前記第２のメディアアセットと前記第１のメディアアセットを比較し、前記第２のメディアアセットの部分が前記第１のメディアアセットからのコンテンツに合致するかどうかを判定するステップは、
前記部分に対応するイベントを読み出すステップと、
前記部分のイベントと前記第１のメディアアセットに対応する複数のイベントを一覧にしたデータベースを相互参照し、前記部分が前記第１のメディアアセットからのコンテンツに合致するかどうかを判定するステップと、
を含む、項目１に記載の方法。
（項目７）
前記部分の知覚される再生速度を増加させることによって、編集された部分を生成するステップと、
前記第２のメディアアセットを編集し、前記部分と前記編集された部分を置換するステップと、
をさらに含む、項目１に記載の方法。
（項目８）
前記第２のメディアアセットと前記第１のメディアアセットを比較し、前記第２のメディアアセットの部分が前記第１のメディアアセットからのコンテンツに合致するかどうかを判定するステップは、
前記部分と関連付けられたシリーズのエピソードおよび前記第１のメディアアセットと関連付けられたシリーズのエピソードを識別するステップと、
前記部分と関連付けられたシリーズのエピソードと前記第１のメディアアセットと関連付けられた前記シリーズのエピソードを比較するステップと、
を含む、項目１に記載の方法。
（項目９）
前記第１のメディアアセットを消費した後、前記第２のメディアアセットを消費する、ユーザの母集団のユーザ挙動を監視するステップと、
前記監視に応答して、前記母集団の閾値人数のユーザによる前記部分に対応する早送り挙動を検出するステップと、
前記早送り挙動の検出に応答して、比較のために前記部分を識別するステップと、
をさらに含む、項目１に記載の方法。
（項目１０）
前記ユーザに前記第２のメディアアセットから除去されたその部分を視聴するオプションを提示するステップをさらに含む、項目１に記載の方法。
（項目１１）
ユーザ視聴体験を向上させるためのシステムであって、
ユーザプロファイルを記憶するように構成される、記憶回路と、
制御回路であって、
ユーザが以前に第１のメディアアセットを消費したことを示すユーザプロファイルを読み出すことと、
前記ユーザが第２のメディアアセットを消費しようとしていることを検出することと、
前記第２のメディアアセットと前記第１のメディアアセットを比較し、前記第２のメディアアセットの部分が前記第１のメディアアセットからのコンテンツに合致するかどうかを判定することと、
前記第２のメディアアセットの部分が前記第１のメディアアセットからのコンテンツに合致することの判定に応答して、前記第２のメディアアセットを編集し、前記部分を除去することと、
表示のために、前記編集された第２のメディアアセットを生成することと
を行うように構成される、制御回路と、
を備える、システム。
（項目１２）
前記部分は、前記第２のメディアアセットのフレームである、項目１１に記載のシステム。
（項目１３）
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分に対応する前記第２のメディアアセットのフレームを判定することと、
前記フレームと前記第１のメディアアセット内の複数のフレームを一覧にしたデータベースを相互参照し、前記フレームが前記複数のフレームのうちの１つに合致するかどうかを判定することと
を行うように構成される、項目１１に記載のシステム。
（項目１４）
前記第２のメディアアセットの再生の間、前記部分の前に前記メディアアセットの第２の部分が先行する、項目１１に記載のシステム。
（項目１５）
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分に対応するメタデータを読み出すことと、
前記部分のメタデータと前記第１のメディアアセットのメタデータを一覧にしたデータベースを相互参照し、前記部分が前記第１のメディアアセットからのコンテンツに合致するかどうかを判定することと
を行うように構成される、項目１１に記載のシステム。
（項目１６）
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分に対応するイベントを読み出すことと、
前記部分のイベントと前記第１のメディアアセットに対応する複数のイベントを一覧にしたデータベースを相互参照し、前記部分が前記第１のメディアアセットからのコンテンツに合致するかどうかを判定することと
を行うように構成される、項目１１に記載のシステム。
（項目１７）
前記制御回路はさらに、
前記部分の知覚される再生速度を増加させることによって、編集された部分を生成することと、
前記第２のメディアアセットを編集し、前記部分と前記編集された部分を置換することと
を行うように構成される、項目１１に記載のシステム。
（項目１８）
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分と関連付けられたシリーズのエピソードおよび前記第１のメディアアセットと関連付けられたシリーズのエピソードを識別することと、
前記部分と関連付けられたシリーズのエピソードと前記第１のメディアアセットと関連付けられた前記シリーズのエピソードを比較することと
を行うように構成される、項目１１に記載のシステム。
（項目１９）
前記制御回路はさらに、
前記第１のメディアアセットを消費した後、前記第２のメディアアセットを消費する、ユーザの母集団のユーザ挙動を監視することと、
前記監視に応答して、前記母集団の閾値人数のユーザによる前記部分に対応する早送り挙動を検出することと、
前記早送り挙動の検出に応答して、比較のために前記部分を識別することと
を行うように構成される、項目１１に記載のシステム。
（項目２０）
前記制御回路はさらに、前記ユーザに前記第２のメディアアセットから除去されたその部分を視聴するオプションを提示するように構成される、項目１１に記載のシステム。
（項目２１）
ユーザ視聴体験を向上させるためのシステムであって、
ユーザが以前に第１のメディアアセットを消費したことを示すユーザプロファイルを読み出すための手段と、
前記ユーザが第２のメディアアセットを消費しようとしていることを検出するための手段と、
前記第２のメディアアセットと前記第１のメディアアセットを比較し、前記第２のメディアアセットの部分が前記第１のメディアアセットからのコンテンツに合致するかどうかを判定するための手段と、
前記第２のメディアアセットの部分が前記第１のメディアアセットからのコンテンツに合致することの判定に応答して、前記第２のメディアアセットを編集し、前記部分を除去するための手段と、
表示のために、前記編集された第２のメディアアセットを生成するための手段と、
を備える、システム。
（項目２２）
前記部分は、前記第２のメディアアセットのフレームである、項目２１に記載のシステム。
（項目２３）
前記第２のメディアアセットと前記第１のメディアアセットを比較し、前記第２のメディアアセットの部分が前記第１のメディアアセットからのコンテンツに合致するかどうかを判定するための手段はさらに、
前記部分に対応する前記第２のメディアアセットのフレームを判定するための手段と、
前記フレームと前記第１のメディアアセット内の複数のフレームを一覧にしたデータベースを相互参照し、前記フレームが前記複数のフレームのうちの１つに合致するかどうかを判定するための手段と、
を備える、項目２１に記載のシステム。
（項目２４）
前記第２のメディアアセットの再生の間、前記部分の前に前記メディアアセットの第２の部分が先行する、項目２１に記載のシステム。
（項目２５）
前記第２のメディアアセットと前記第１のメディアアセットを比較し、前記第２のメディアアセットの部分が前記第１のメディアアセットからのコンテンツに合致するかどうかを判定するための手段はさらに、
前記部分に対応するメタデータを読み出すための手段と、
前記部分のメタデータと前記第１のメディアアセットのメタデータを一覧にしたデータベースを相互参照し、前記部分が前記第１のメディアアセットからのコンテンツに合致するかどうかを判定するための手段と、
を備える、項目２１に記載のシステム。
（項目２６）
前記第２のメディアアセットと前記第１のメディアアセットを比較し、前記第２のメディアアセットの部分が前記第１のメディアアセットからのコンテンツに合致するかどうかを判定するための手段はさらに、
前記部分に対応するイベントを読み出すための手段と、
前記部分のイベントと前記第１のメディアアセットに対応する複数のイベントを一覧にしたデータベースを相互参照し、前記部分が前記第１のメディアアセットからのコンテンツに合致するかどうかを判定するための手段と、
を備える、項目２１に記載のシステム。
（項目２７）
前記部分の知覚される再生速度を増加させることによって、編集された部分を生成するための手段と、
前記第２のメディアアセットを編集し、前記部分と前記編集された部分を置換するための手段と、
をさらに備える、項目２１に記載のシステム。
（項目２８）
前記第２のメディアアセットと前記第１のメディアアセットを比較し、前記第２のメディアアセットの部分が前記第１のメディアアセットからのコンテンツに合致するかどうかを判定するための手段はさらに、
前記部分と関連付けられたシリーズのエピソードおよび前記第１のメディアアセットと関連付けられたシリーズのエピソードを識別するための手段と、
前記部分と関連付けられたシリーズのエピソードと前記第１のメディアアセットと関連付けられた前記シリーズのエピソードを比較するための手段と、
を備える、項目２１に記載のシステム。
（項目２９）
前記第１のメディアアセットを消費した後、前記第２のメディアアセットを消費する、ユーザの母集団のユーザ挙動を監視するための手段と、
前記監視に応答して、前記母集団の閾値人数のユーザによる前記部分に対応する早送り挙動を検出するための手段と、
前記早送り挙動の検出に応答して、比較のために前記部分を識別するための手段と、
をさらに備える、項目２１に記載のシステム。
（項目３０）
前記ユーザに前記第２のメディアアセットから除去されたその部分を視聴するオプションを提示するための手段をさらに備える、項目２１に記載のシステム。
（項目３１）
ユーザ視聴体験を向上させるための方法であって、
制御回路を使用して、ユーザが以前に第１のメディアアセットを消費したことを示すユーザプロファイルを読み出すステップと、
制御回路を使用して、前記ユーザが第２のメディアアセットを消費しようとしていることを検出するステップと、
制御回路を使用して、前記第２のメディアアセットと前記第１のメディアアセットを比較し、前記第２のメディアアセットの部分が前記第１のメディアアセットからのコンテンツに合致するかどうかを判定するステップと、
前記第２のメディアアセットの部分が前記第１のメディアアセットからのコンテンツに合致することの判定に応答して、制御回路を使用して、前記第２のメディアアセットを編集し、前記部分を除去するステップと、
制御回路を使用して、表示のために、前記編集された第２のメディアアセットを生成するステップと、
を含む、方法。
（項目３２）
前記部分は、前記第２のメディアアセットのフレームである、項目３１に記載の方法。
（項目３３）
前記第２のメディアアセットと前記第１のメディアアセットを比較し、前記第２のメディアアセットの部分が前記第１のメディアアセットからのコンテンツに合致するかどうかを判定するステップは、
前記部分に対応する前記第２のメディアアセットのフレームを判定するステップと、
前記フレームと前記第１のメディアアセット内の複数のフレームを一覧にしたデータベースを相互参照し、前記フレームが前記複数のフレームのうちの１つに合致するかどうかを判定するステップと、
を含む、項目３１−３２のいずれかに記載の方法。
（項目３４）
前記第２のメディアアセットの再生の間、前記部分の前に前記メディアアセットの第２の部分が先行する、項目３１−３３のいずれかに記載の方法。
（項目３５）
前記第２のメディアアセットと前記第１のメディアアセットを比較し、前記第２のメディアアセットの部分が前記第１のメディアアセットからのコンテンツに合致するかどうかを判定するステップは、
前記部分に対応するメタデータを読み出すステップと、
前記部分のメタデータと前記第１のメディアアセットのメタデータを一覧にしたデータベースを相互参照し、前記部分が前記第１のメディアアセットからのコンテンツに合致するかどうかを判定するステップと、
を含む、項目３１−３４のいずれかに記載の方法。
（項目３６）
前記第２のメディアアセットと前記第１のメディアアセットを比較し、前記第２のメディアアセットの部分が前記第１のメディアアセットからのコンテンツに合致するかどうかを判定するステップは、
前記部分に対応するイベントを読み出すステップと、
前記部分のイベントと前記第１のメディアアセットに対応する複数のイベントを一覧にしたデータベースを相互参照し、前記部分が前記第１のメディアアセットからのコンテンツに合致するかどうかを判定するステップと、
を含む、項目３１−３５のいずれかに記載の方法。
（項目３７）
前記部分の知覚される再生速度を増加させることによって、編集された部分を生成するステップと、
前記第２のメディアアセットを編集し、前記部分と前記編集された部分を置換するステップと、
をさらに含む、項目３１−３６のいずれかに記載の方法。
（項目３８）
前記第２のメディアアセットと前記第１のメディアアセットを比較し、前記第２のメディアアセットの部分が前記第１のメディアアセットからのコンテンツに合致するかどうかを判定するステップは、
前記部分と関連付けられたシリーズのエピソードおよび前記第１のメディアアセットと関連付けられたシリーズのエピソードを識別するステップと、
前記部分と関連付けられたシリーズのエピソードと前記第１のメディアアセットと関連付けられた前記シリーズのエピソードを比較するステップと、
を含む、項目３１−３７のいずれかに記載の方法。
（項目３９）
前記第１のメディアアセットを消費した後、前記第２のメディアアセットを消費する、ユーザの母集団のユーザ挙動を監視するステップと、
前記監視に応答して、前記母集団の閾値人数のユーザによる前記部分に対応する早送り挙動を検出するステップと、
前記早送り挙動の検出に応答して、比較のために前記部分を識別するステップと、
をさらに含む、項目３１−３８のいずれかに記載の方法。
（項目４０）
前記ユーザに前記第２のメディアアセットから除去されたその部分を視聴するオプションを提示するステップをさらに含む、項目３１−３９のいずれかに記載の方法。
（項目４１）
ユーザ視聴体験を向上させるためのその上に記録された命令を備える、非一過性コンピュータ可読媒体であって、前記命令は、
ユーザが以前に第１のメディアアセットを消費したことを示すユーザプロファイルを読み出すための命令と、
前記ユーザが第２のメディアアセットを消費しようとしていることを検出するための命令と、
前記第２のメディアアセットと前記第１のメディアアセットを比較し、前記第２のメディアアセットの部分が前記第１のメディアアセットからのコンテンツに合致するかどうかを判定するための命令と、
前記第２のメディアアセットの部分が前記第１のメディアアセットからのコンテンツに合致することの判定に応答して、前記第２のメディアアセットを編集し、前記部分を除去するための命令と、
表示のために、前記編集された第２のメディアアセットを生成するための命令と、
を備える、非一過性コンピュータ可読媒体。
（項目４２）
前記部分は、前記第２のメディアアセットのフレームである、項目４１に記載の非一過性コンピュータ可読媒体。
（項目４３）
前記第２のメディアアセットと前記第１のメディアアセットを比較し、前記第２のメディアアセットの部分が前記第１のメディアアセットからのコンテンツに合致するかどうかを判定するための命令は、
前記部分に対応する前記第２のメディアアセットのフレームを判定するための命令と、
前記フレームと前記第１のメディアアセット内の複数のフレームを一覧にしたデータベースを相互参照し、前記フレームが前記複数のフレームのうちの１つに合致するかどうかを判定するための命令と、
を備える、項目４１に記載の非一過性コンピュータ可読媒体。
（項目４４）
前記第２のメディアアセットの再生の間、前記部分の前に前記メディアアセットの第２の部分が先行する、項目４１に記載の非一過性コンピュータ可読媒体。
（項目４５）
前記第２のメディアアセットと前記第１のメディアアセットを比較し、前記第２のメディアアセットの部分が前記第１のメディアアセットからのコンテンツに合致するかどうかを判定するための命令は、
前記部分に対応するメタデータを読み出すための命令と、
前記部分のメタデータと前記第１のメディアアセットのメタデータを一覧にしたデータベースを相互参照し、前記部分が前記第１のメディアアセットからのコンテンツに合致するかどうかを判定するための命令と、
を備える、項目４１に記載の非一過性コンピュータ可読媒体。
（項目４６）
前記第２のメディアアセットと前記第１のメディアアセットを比較し、前記第２のメディアアセットの部分が前記第１のメディアアセットからのコンテンツに合致するかどうかを判定するための命令は、
前記部分に対応するイベントを読み出すための命令と、
前記部分のイベントと前記第１のメディアアセットに対応する複数のイベントを一覧にしたデータベースを相互参照し、前記部分が前記第１のメディアアセットからのコンテンツに合致するかどうかを判定するための命令と、
を備える、項目４１に記載の非一過性コンピュータ可読媒体。
（項目４７）
前記部分の知覚される再生速度を増加させることによって、編集された部分を生成するための命令と、
前記第２のメディアアセットを編集し、前記部分と前記編集された部分を置換するための命令と、
をさらに備える、項目４１に記載の非一過性コンピュータ可読媒体。
（項目４８）
前記第２のメディアアセットと前記第１のメディアアセットを比較し、前記第２のメディアアセットの部分が前記第１のメディアアセットからのコンテンツに合致するかどうかを判定するための命令は、
前記部分と関連付けられたシリーズのエピソードおよび前記第１のメディアアセットと関連付けられたシリーズのエピソードを識別するための命令と、
前記部分と関連付けられたシリーズのエピソードと前記第１のメディアアセットと関連付けられた前記シリーズのエピソードを比較するための命令と、
を備える、項目４１に記載の非一過性コンピュータ可読媒体。
（項目４９）
前記第１のメディアアセットを消費した後、前記第２のメディアアセットを消費する、ユーザの母集団のユーザ挙動を監視するための命令と、
前記監視に応答して、前記母集団の閾値人数のユーザによる前記部分に対応する早送り挙動を検出するための命令と、
前記早送り挙動の検出に応答して、比較のために前記部分を識別するための命令と、
をさらに備える、項目４１に記載の非一過性コンピュータ可読媒体。
（項目５０）
前記ユーザに前記第２のメディアアセットから除去されたその部分を視聴するオプションを提示するための命令をさらに備える、項目４１に記載の非一過性コンピュータ可読媒体。